【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
通信装置と他の通信装置との間の通信経路を設定した情報を送信する基地局の制御方法であって、
前記通信装置から基地局に対して通信品質を確保するための要求が行われた際に、前記通信装置と前記他の通信装置とが同じ基地局に収容されているか否かを判別する判別工程と、
前記判別工程における判別に基づいて前記基地局を経由して通信する通信経路か、前記通信装置と前記他の通信装置とが直接通信する通信経路の何れかを設定した情報を送信する送信工程とを有することを特徴とする制御方法。
【請求項２】
前記判別工程では、前記基地局が、前記通信装置からの通信品質を確保するための要求に含まれる前記他の通信装置の情報に基づいて判別することを特徴とする請求項１に記載の制御方法。
【請求項３】
前記送信工程は、前記通信装置に送信することを特徴とする請求項１又は２に記載の制御方法。
【請求項４】
前記送信工程は、前記通信装置からの通信品質を確保するための要求に対する応答として前記基地局が前記通信装置に送信することを特徴とする請求項１乃至３の何れか１項に記載の制御方法。
【請求項５】
前記送信工程は、前記通信装置と前記他の通信装置とが直接通信する通信経路を設定した場合には、前記通信装置が前記基地局を経由して通信する通信経路を要求してきたとしても、前記通信装置と前記他の通信装置とが直接通信する通信経路を設定したことを前記通信装置に送信することを特徴とする請求項１乃至４の何れか１項に記載の制御方法。
【請求項６】
前記通信装置は、前記送信工程における送信に基づいて前記基地局に要求する通信経路を更新することを特徴とする請求項１乃至５の何れか１項に記載の制御方法。
【請求項７】
前記送信工程は、前記他の通信装置が、前記通信装置と前記他の通信装置とが直接通信する機能を有するか否かの情報と前記判別工程における判別とに基づいて、前記基地局が前記通信経路を設定した情報を送信することを特徴とする請求項１乃至６の何れか１項に記載の制御方法。
【請求項８】
前記判別工程では、前記通信装置がプロミスキャスモードで取り込んだ情報に応じて、前記通信装置と前記他の通信装置とが同じ基地局に収容されるか否かを判別することを特徴とする請求項１に記載の制御方法。
【請求項９】
前記通信装置は、前記送信工程において送信された情報に基づいて前記基地局に対して設定された通信経路を要求することを特徴とする請求項８に記載の制御方法。
【請求項１０】
基地局を経由して通信する通信経路と、通信装置と他の通信装置とが直接通信する通信経路とが可能なシステムの基地局であって、
前記通信装置から通信品質を確保するための要求が行われた際に、前記他の通信装置を収容しているか否かを判別する判別手段と、
前記判別手段による判別に基づいて前記通信経路を設定した情報を送信する送信手段とを有することを特徴とする基地局。
【請求項１１】
前記判別手段は、前記通信装置からの通信品質を確保するのための要求に含まれる前記他の通信装置の情報に基づいて判別することを特徴とする請求項１０に記載の基地局。
【請求項１２】
前記送信手段は、前記通信装置に送信することを特徴とする請求項１０又は１１に記載の基地局。
【請求項１３】
前記送信手段は、前記通信装置からの通信品質を確保するための要求に対する応答として前記通信装置に送信することを特徴とする請求項１０乃至１２の何れか１項に記載の基地局。
【請求項１４】
前記送信手段は、前記通信装置と前記他の通信装置とが直接通信する通信経路を設定した場合には、前記通信装置が前記基地局を経由して通信する通信経路を要求してきたとしても、前記通信装置と前記他の通信装置とが直接通信する通信経路を設定したことを前記通信装置に送信することを特徴とする請求項１０乃至１３の何れか１項に記載の基地局。
【請求項１５】
前記送信手段は、前記他の通信装置が、前記通信装置と前記他の通信装置とが直接通信する機能を有するか否かの情報と前記判別手段における判別とに基づいて前記通信経路を設定した情報を送信することを特徴とする請求項１０乃至１４の何れか１項に記載の基地局。
【請求項１６】
基地局を経由して通信する通信経路と、通信装置と他の通信装置とが直接通信する通信経路とが可能なシステムの通信装置であって、
前記他の通信装置が同じ基地局に収容されているか否かを判別する判別手段と、
前記判別手段による判別に基づいて前記通信経路を設定した情報を送信する送信手段とを有することを特徴とする通信装置。
【請求項１７】
前記判別手段は、前記通信装置がプロミスキャスモードで取り込んだ情報に応じて、前記通信装置と前記他の通信装置とが同じ基地局に収容されるか否かを判別することを特徴とする請求項１６に記載の通信装置。
【請求項１８】
請求項１乃至９の何れか一項に記載の制御方法をコンピュータに実行させるためのプログラム。
【手続補正２】
【補正対象書類名】明細書
【補正対象項目名】発明の名称
【補正方法】変更
【補正の内容】
【発明の名称】制御方法、基地局及び通信装置
【手続補正３】
【補正対象書類名】明細書
【補正対象項目名】０００１
【補正方法】変更
【補正の内容】
【０００１】
本発明は、通信装置と他の通信装置との間の通信経路を設定した情報を送信する制御方法、基地局及び通信装置に関する。
【手続補正４】
【補正対象書類名】明細書
【補正対象項目名】００１５
【補正方法】変更
【補正の内容】
【００１５】
また、通信品質を確保するための要求に応じて、基地局を経由して通信する通信経路か、通信装置と他の通信装置とが直接通信する通信経路の何れかに設定した情報を送信し、周波数の利用効率と通信速度及び通信品質確保の調和を図ることを目的とする。
【手続補正５】
【補正対象書類名】明細書
【補正対象項目名】００１６
【補正方法】変更
【補正の内容】
【００１６】
本発明は、通信装置と他の通信装置との間の通信経路を設定した情報を送信する基地局の制御方法であって、前記通信装置から基地局に対して通信品質を確保するための要求が行われた際に、前記通信装置と前記他の通信装置とが同じ基地局に収容されているか否かを判別する判別工程と、前記判別工程における判別に基づいて前記基地局を経由して通信する通信経路か、前記通信装置と前記他の通信装置とが直接通信する通信経路の何れかを設定した情報を送信する送信工程とを有することを特徴とする。
【手続補正６】
【補正対象書類名】明細書
【補正対象項目名】００１７
【補正方法】変更
【補正の内容】
【００１７】
また、本発明は、基地局を経由して通信する通信経路と、通信装置と他の通信装置とが直接通信する通信経路とが可能なシステムの基地局であって、前記通信装置から通信品質を確保するための要求が行われた際に、前記他の通信装置を収容しているか否かを判別する判別手段と、前記判別手段による判別に基づいて前記通信経路を設定した情報を送信する送信手段とを有することを特徴とする。
【手続補正７】
【補正対象書類名】明細書
【補正対象項目名】００１８
【補正方法】変更
【補正の内容】
【００１８】
また、本発明は、基地局を経由して通信する通信経路と、通信装置と他の通信装置とが直接通信する通信経路とが可能なシステムの通信装置であって、前記他の通信装置が同じ基地局に収容されているか否かを判別する判別手段と、前記判別手段による判別に基づいて前記通信経路を設定した情報を送信する送信手段とを有することを特徴とする。